(57)【要約】【課題】簡単な構造で吊上げ時に外れず、容器を保管する棚板との垂直方向の間隔が狭くても容器の取り出しが可能であって、異なる容器のサイズにも対応ができる容器吊り具を提供する。【解決手段】一対の把手部のある容器を吊上げる容器吊り具であって、吊上げる吊り条体と、把手部に係止する係止部及び係止部の延伸部の先端で吊り条体が接続される接続端部を有して容器を一対で把持する把持部材と、吊り条体が挿通されて荷役装置のフック等に係合する吊り部材と、を備えている。係止部が容器を吊上げる際、外側面に垂直かつ鉛直方向に平行な平面を仮想平面として、延伸部が容器の上縁に当接する位置から接続端部へ向かうベクトルを正方向のＸ軸とするＸＹ座標系を仮想平面上に構成して吊り条体の張力のベクトルを仮想平面へ投影した時、張力のＹ軸方向のベクトルは正の成分若しくはゼロ成分となるように、延伸部及び接続端部が設けられている。【選択図】図１
2018008793.tif 000002
【特許請求の範囲】
【請求項１】
対向する鉛直平面からなる外側面と、前記外側面に開口穴若しくは凹形状の一対の把手部と、を有する容器を吊上げる容器吊り具であって、
柔軟性を有して前記容器を吊上げる吊り条体と、
前記把手部に係止する係止部、及び前記係止部から延伸して延伸部の先端近傍にあって前記吊り条体が接続され前記吊り条体の張力方向を自在に変えられる接続端部を有して前記容器を対向して把持する一対の把持部材と、
前記吊り条体が挿通されて前記吊り条体の張力方向を自在な位置で変曲させ、荷役装置のフック等に係合する吊り部材と、を備え
前記把持部材の前記係止部が前記容器の前記把手部に係止して前記容器を吊上げる際、前記把持部材の前記延伸部は前記容器の上縁に当接し、前記外側面に垂直かつ鉛直方向に平行な平面を仮想平面として、前記上縁から前記接続端部へ向かうベクトルを正方向のＸ軸とするＸＹ座標系を前記仮想平面に構成して前記吊り条体の張力のベクトルを前記仮想平面へ投影した時、前記張力のＹ軸方向のベクトルは正の成分若しくはゼロ成分となるように、前記延伸部及び前記接続端部が設けられていることを特徴とする容器吊り具。
【請求項２】
前記吊り部材に前記吊り条体が接する回転自在なローラーが設けられていることを特徴とする請求項１に記載の容器吊り具。
【請求項３】
前記吊り条体の長さを伸縮自在に設定可能なアジャスターを前記吊り条体の中間部に設けたこと特徴とする請求項１又は２に記載の容器吊り具。
【請求項４】
前記把持部材が主として板金で構成されていることを特徴とする請求項１から３のいずれか一項に記載の容器吊り具。
【請求項５】
前記把手部に係止する前記係止部の鉛直方向寸法が、前記把手部の前記開口穴若しくは前記凹形状の鉛直方向寸法より小さいことを特徴とする請求項１から４のいずれか一項に記載の容器吊り具。
【発明の詳細な説明】
【技術分野】
【０００１】
本発明は、側面に把手用の開口部や凹部があるコンテナ等の容器を吊る際に用いる容器吊り具に関するものである。
【背景技術】
【０００２】
従来の吊り具としては、アームを開閉するものやベルトを用いたものが知られていて、一度に複数の容器を吊上げるものも開示されている（特許文献１）。しかしながら容器を段積みすると、下の段の容器のみを取り出したい時に時間を要することから、それぞれを棚に置いて保管して、必要な容器のみを取り出すような工夫をしている場合がある（図７）。棚に置いて保管する場合、容器と棚との垂直方向の間隔を広げると保管スペースが大きくなってしまうためできるだけ間隔は狭くしたいという要望がある。さらに保管物の大きさ、体積、重量に合わせて複数の大きさの容器を用いたいという要望も同時にある。
【先行技術文献】
【特許文献】
【０００３】
【特許文献１】特開平０３−０１８５９５号公報
【特許文献２】特開平０２−０２３１９６号公報
【特許文献３】特開平０３−０７３７９２号公報
【発明の概要】
【発明が解決しようとする課題】
【０００４】
これに対して、特許文献１や特許文献２に開示された容器の吊り具では、ビームやアームなどのメカニカル要素が多くて鉛直方向に長く、容器と棚との狭い隙間に挿入することは困難であり。しかも部品点数も多くコスト低減に充分ではなく、また異なる容器のサイズに容易に対応ができないという課題があった。
【０００５】
またベルトを用いた特許文献３に開示されたコンテナ吊り具でも、容器の奥行き方向が長いと吊上げ開始時に吊り環が棚の外に位置できない場合があって容器を棚から引っ張り出すことが難しく、特に容器と棚との垂直方向の間隔を狭くした棚から取り出すことに対しては充分ではない。しかも長期使用において外れ止めフックの摺動の確認メンテナンスが必要であるという課題があった。
【０００６】
本発明は、上記問題点に鑑みなされたもので、簡単な構造で吊上げ中に外れず、また棚に置いて保管する容器に対して、容器と棚との垂直方向の間隔を狭くしても容器の取り出しが可能であって、異なる容器のサイズにも柔軟に対応ができる容器吊り具を提供することが目的である。
【課題を解決するための手段】
【０００７】
請求項１に記載の容器吊り具は、上記の目的を達成するために、
対向する鉛直平面からなる外側面と、外側面に開口穴若しくは凹形状の一対の把手部と、を有する容器を吊上げる容器吊り具であって、
柔軟性を有して容器を吊上げる吊り条体と、
把手部に係止する係止部、及び係止部から延伸して延伸部の先端近傍にあって吊り条体が接続され吊り条体の張力方向を自在に変えられる接続端部を有して容器を対向して把持する一対の把持部材と、
吊り条体が挿通されて吊り条体の張力方向を自在な位置で変曲させ、荷役装置のフック等に係合する吊り部材と、を備え
把持部材の係止部が容器の把手部に係止して容器を吊上げる際、把持部材の延伸部は容器の上縁に当接し、外側面に垂直かつ鉛直方向に平行な平面を仮想平面として、上縁から接続端部へ向かうベクトルを正方向のＸ軸とするＸＹ座標系を仮想平面に構成して吊り条体の張力のベクトルを仮想平面へ投影した時、張力のＹ軸方向のベクトルは正の成分若しくはゼロ成分となるように、延伸部及び接続端部が設けられている
【０００８】
請求項２に記載の容器吊り具は、上記の目的を達成するために、
吊り部材に吊り条体が接する回転自在なローラーが設けられている。
【０００９】
請求項３に記載の容器吊り具は、上記の目的を達成するために、
吊り条体の長さを伸縮自在に設定可能なアジャスターを吊り条体の中間部に設けて構成されている。
【００１０】
請求項４に記載の容器吊り具は、上記の目的を達成するために、
把持部材が主として板金で構成されている。
【００１１】
請求項５に記載の容器吊り具は、上記の目的を達成するために、
把手部に係止する係止部の鉛直方向寸法が、把手部の開口穴若しくは凹形状の鉛直方向寸法より小さく構成されている。
【発明の効果】
【００１２】
請求項１に記載の発明によれば、
吊り条体で吊上げられている際に、把持部材が容器の上端稜線に当接する箇所を支点とした回転モーメントが生じない形状をしていることから、吊上げ中に把持部材が外れることなく安全な容器吊り具を提供できる。
【００１３】
請求項２に記載の発明によれば上記効果に加えて、吊り部材が板状の部材であってしかも吊り部材に設けられたローラーにより吊り条体のある範囲で自在に移動することができることから、狭い空間に入ることが可能であって、容器と棚との垂直方向の間隔が狭くても容器の取り出しが可能な容器吊り具を提供できる。
【００１４】
請求項３に記載の発明によれば上記効果に加えて、吊り条体の長さを伸縮自在に設定可能なアジャスターにより、大きさの異なる容器にも容易に対応できるので汎用性の高い容器吊り具を提供できる。
【００１５】
請求項４に記載の発明によれば、把持部材が主として板金のプレスにより製造できるため、安価でメンテナンスフリーな容器吊り具を提供できる。
【００１６】
請求項５に記載の発明によれば、吊り条体から把持部材への力を開放した時、把持部材が容器の把持部に当接する箇所が係止部の下部に移り、新たな当節箇所を支点として把持部材は把手部から回転しつつ外れるため、容易に把持部材を外すことができる容器吊り具を提供できる。
【図面の簡単な説明】
【００１７】
【図１】本発明の実施形態の容器吊り具によって容器を吊上げた際の全体外観斜視図
【図２】本発明の実施形態の容器吊り具の構造詳細斜視図
【図３】本発明の実施形態の容器吊り具が容器に係止される前の状態を、仮想平面Ｐで切断して表した断面図と斜視図
【図４】本発明の実施形態の容器吊り具が容器に係止される前の状態を、仮想平面Ｐで切断して表した断面図と斜視図
【図５】本発明の実施形態の容器吊り具が容器に係止される直前の状態を、仮想平面Ｐで切断して表した断面図と斜視図
【図６】本発明の実施形態の容器吊り具が容器に係止された際の状態を、仮想平面Ｐで切断して表した断面図と斜視図
【図７】本発明の実施形態の容器吊り具を用いて棚に保管された容器を吊上げる際の模式図
【図８】本発明の実施形態の容器吊り具を用いて棚に容器を保管する際の模式図
【発明を実施するための形態】
【００１８】
以下、本発明による実施形態について、図面を基に詳細な説明を行う。図１は本発明の実施形態の容器吊り具によって容器を吊上げた際の全体外観斜視図である。また図２は本発明の実施形態の容器吊り具のみの外観斜視図である。
【００１９】
容器１０はいわゆる箱型コンテナであって、外側面１１ｂは平行に対向する鉛直平面で構成され、この外側面１１ｂには開口穴形状の把手部１１ａがそれぞれ設けられている。この把手部１１ａは把手部上面１１ｄを有していれば良く、開口穴に限らず、凹形状になっているものでも適用できる。さらに本実施形態において容器１０は上部が開口したフタ無しのものであるが、これに限らずフタはあっても構わない。またこの図１に示す仮想平面Ｐとは、外側面１１ｂに垂直でかつ鉛直方向に平行な平面を指す。
【００２０】
この容器１０を吊上げるものが、容器吊り具１であって、吊り部材２、吊り部材２に設けられたローラー３、吊り条体である平ベルト４、アジャスター５、把持部材６によって構成されている。
【００２１】
吊り部材２は不図示の荷役装置のフック等に係合して吊上げを行うものであって、平板金にフックを通す丸穴と、平ベルト４を通す細長い穴が設けられている。平ベルト４が当たる部分には回転自在なローラー３があって、ローラー３は吊り部材２に組み込まれている。したがって吊り部材２は吊り条体の張力方向を自在な位置で変曲させることができる。
【００２２】
吊り条体の平ベルト４は例えば合成繊維でできた編織物の柔軟性のあるベルトであって、吊り部材２及びアジャスター５に挿通され、次いで把持部材６の接続端部６ｈに挿入されて折り返し、再びアジャスター５に挿通されて、折り返し戻された後、末端部が縫製処理される。
【００２３】
アジャスター５は把持部材６間の平ベルト４の長さを調整するものであって、平ベルト４の中間部に位置し、吊上げ作業を行う作業者等が容易にその長さを調整できるものである。
【００２４】
把持部材６は容器１０の把手部１１ａに係止し、容器１０を把持して吊上げるのに用いるものであって、金属の板金を折り曲げ及び穴加工を施したものである。把持部材６は、係止部６ａと延伸部６ｅ〜６ｇ、接続端部６ｈからなっていて、係止部６ａは断面がコの字型で
対向する係止部下面６ｂと係止部上面６ｄを係止部縦面６ｃが繋ぐ形となっている。延伸部６ｅは係止部上面６ｄから平板形状で延伸したものであって、延伸部６ｆ、延伸部６ｇとさらに伸びた先端近傍に、平ベルト４を通す長穴を持った接続端部６ｈを形成している。そして把持部材６は容器１０の把手部１１ａに係止した時、この延伸部６ｅ〜６ｇのいずれかの箇所が容器上縁１２に当接する若しくは容器上縁１２の近傍に位置するように延伸部６ｅ〜６ｇは設けられている。
【００２５】
なお容器吊り具１は吊り部材２を挟み、反対側も同様に平ベルト４を介してアジャスター５及び把持部材６が一対で配置されている。
【００２６】
図３は本発明の実施形態の容器吊り具１が容器に係止される前の仮想平面Ｐで切断した断面図（ａ）と斜視図（ｂ）である。この状態では把持部材６は容器１０に係止しておらず、フリーな状態である。この状態から平ベルト４を上方に引っ張り上げることになる。この時、係止部６ａは外側面１１ｂに、接続端部６ｈ付近の平ベルト４は外側面１１ｃに接触しつつ上方へ移動することになる。
【００２７】
図４は本発明の実施形態の容器吊り具１が容器に係止される前の仮想平面Ｐで切断した断面図（ａ）と斜視図（ｂ）であって図３の状態から平ベルト４が斜め方向に上昇したものである。この時、係止部６ａは外側面１１ｂから離れ、把手部下面１１ｅの突部に当り、平ベルト４が斜め方向に上昇している。ここで係止部縦面６ｃが把手部下面１１ｅの突部に当っている箇所を始点として平ベルト４が接続されている接続端部６ｈへ向かうベクトルを正方向のＸ軸とするＸＹ座標系を仮想平面Ｐ上に構成すると、仮想平面Ｐ上へ投影した平ベルト４が引っ張る力ＦのＸ軸方向の分力のベクトル成分がＦｘとなり、図４（ａ）にて時計回り方向の回転モーメントが生じている。故にこの状態では、係止部６ａは把手部１１ａの開口した箇所に入る方向に進むことになる。
【００２８】
図５は本発明の実施形態の容器吊り具１が容器に係止される直前の仮想平面Ｐで切断した断面図（ａ）と斜視図（ｂ）であって図４の状態からさらに平ベルト４が斜め方向に上昇したものである。係止部６ａは把手部１１ａの開口した箇所に入る予備状態になり、係止部下面６ｂは把手部下面１１ｅに当接するとともに、係止部縦面６ｃと係止部上面６ｄの交差する稜線である角部が把手部上面１１ｄに当接する。この係止部縦面６ｃと係止部上面６ｄの交差する稜線を始点として、平ベルト４が接続されている接続端部６ｈへ向かうベクトルを正方向のＸ軸とするＸＹ座標系を仮想平面Ｐ上に構成すると、仮想平面Ｐ上へ投影した平ベルト４が引っ張る力ＦのＸ軸方向の分力のベクトル成分がＦｘとなり、図５（ａ）にて時計回り方向の回転モーメントが生じている。故にこの状態でも、係止部６ａは把手部１１ａの開口した箇所に入る方向に進むことになる。
【００２９】
図６は本発明の実施形態の容器吊り具１が容器に係止、装着された際の仮想平面Ｐで切断した断面図（ａ）と斜視図（ｂ）であって図５の状態からさらに平ベルト４が斜め方向に上昇したものである。係止部６ａは把手部１１ａの開口部に入っており、係止部上面６ｄは把手部上面１１ｄに面して当接している。また係止部上面６ｄと係止部下面６ｂ間の鉛直方向寸法は、把手部上面１１ｄと把手部下面１１ｅの鉛直方向寸法よりも若干小さくしておくことで、この係止部６ａが把手部１１ａの開口部へのスムーズな着脱を可能にしている。よって平ベルト４が引っ張り上げているこの状態では、係止部下面６ｂと把手部下面１１ｅ間には若干の隙間があることになる。
【００３０】
そして延伸部６ｆが容器１０に当接している箇所の容器上縁１２を始点として接続端部６ｈへ向かうベクトルを正方向のＸ軸とするＸＹ座標系を仮想平面Ｐ上に構成すると、仮想平面Ｐ上へ投影した平ベルト４が引っ張る力ＦのＹ軸方向の分力がＦｙとなり、図６（ａ）にて反時計回り方向の回転モーメントが生じる。したがって容器上縁１２を中心として、係止部上面６ｄは把手部上面１１ｄに圧接する方向に、延伸部６ｅが外側面１１ｃを圧接する方向にそれぞれ働き、把持部材６は容器１０に係止する状態を保つことになる。故に平ベルト４が引っ張る力ＦのＹ軸方向の分力のベクトル成分Ｆｙが正の成分又はゼロ成分であれば把持部材６には外れる方向に回転モーメントは働かないので把手部１１ａから外れることはない。
【００３１】
図７は本発明の実施形態の容器吊り具１を用いて棚に保管された容器を吊上げる際の模式図である。棚は棚支柱２０にて支持された棚板２１ａ〜２１ｃにて３段で構成され、ここでは例として２種類の大きさの容器を保管している。下段及び中段の棚板２１ｃ、２１ｂには容器１０、上段の棚板２１ａには対向する把手部間隔が容器１０と比較して小さい容器１０ａが置かれている。
【００３２】
中段は本発明の実施形態の容器吊り具１にて棚板２１ｂに置かれた容器１０を吊上げる前の準備の状態である。棚に向かって奥側の把持部材６は作業者により把手部１１ａに係止させるように置かれ、吊り部材２は棚板２１ａと容器１０の間の空間に入り込んでいる。次いで手前側の把持部材６も作業者により把手部１１ａに係止させるように置かれる。
【００３３】
そして吊り部材２を矢印Ａ方向に移動させると、下段に示す図となる。すなわち吊り部材２はローラー３によって滑らかに平ベルト４に沿って移動し、吊り部材２を上方に引き上げることで、各把持部材６は把手部１１ａに係止した状態になる。この時点で既に把持部材６は容器１０に係止する状態となっているため、この後、吊り部材２に荷役装置のフックを係合させると、容器１０が外れることなく斜めに吊上げられて棚から取り出すことができる。
【００３４】
図８は本発明の実施形態の容器吊り具１を用いて棚に容器を保管する際の模式図である。まず中段の図のように吊り部材２を棚板２１ａ付近まで寄せて容器１０を吊っておき、作業者は容器１０を棚方向に押して棚板２１ｂの上方に持って行く。これもローラー３があるため容易に行うことができる。そして下段の図に示すように、吊り部材２を下方に若干移動させ、さらに押し込むと容器１０は棚板２１ｃに部分的に着地となる。その後、吊り部材２をさらに下げ完全に着地させた後荷役装置のフックから外し、把持部材６の平ベルト４による拘束を解放することで、把持部材６の係止部６ａは容器１０の把手部１１ａから容易に外すことができる。なぜなら平ベルト４の張力を緩めた状態では、係止部上面６ｄは把手部上面１１ｄから離間し、下方に落ちて係止部下面６ｂが把手部下面１１ｅに接するようになり、今度はこの係止部下面６ｂを支点として、把持部材６の自重により反時計回り方向の回転が生じ、把持部材６は把手部１１ａから容易に外れる。よって作業者は平ベルト４の張力を緩めるだけで把持部材６を把手部１１ａから外すことができるので、把手部１１ａが奥まっていて手の届かない場所であっても容易に行うことができる。
【００３５】
またアジャスター５を有していることから、容器１０と容器１０ａの関係のように把手間距離が異なる容器の扱いも、平ベルト４の繰り出し長さを調整して伸縮自在に設定可能にし、様々な種類の容器に対応できる。
【００３６】
そして容器とその垂直方向上にある棚板の間隔を小さくしても容器を取り出すことができるので、スペース効率が上がり従来に比べて多くの容器を保管することができる。
【００３７】
以上、本実施形態によれば、簡単な構造で吊上げ時に外れず、容器と棚との垂直方向の間隔を狭くしても容器の取り出しが可能であって、異なる容器のサイズにも対応ができる容器吊り具を提供するものである。
【００３８】
以上、本発明に関する実施形態について説明したが、本発明は上記の実施形態に限定されることではなく、例えば吊り条体はロープ等でも良く、種々の変形が可能である。
【産業上の利用可能性】
【００３９】
本発明の活用例として、荷役を扱う荷役助力装置等の付帯品である吊り具としての適用が可能である。
【符号の説明】
【００４０】
１  容器吊り具
２  吊り部材
３  ローラー
４  平ベルト（吊り条体）
５  アジャスター
６  把持部材
６ａ  係止部
６ｂ  係止部下面
６ｃ  係止部縦面
６ｄ  係止部上面
６ｅ、６ｆ、６ｇ  延伸部
６ｈ  接続端部
１０、１０ａ  容器
１１ａ  把手部
１１ｂ、１１ｃ  外側面
１１ｄ  把手部上面
１１ｅ  把手部下面
１２  容器上縁  
２０  棚支柱
２１ａ、２１ｂ、２１ｃ  棚板
Ｐ  仮想平面
【図１】
2018008793.tif 000003
【図２】
2018008793.tif 000004
【図３】
2018008793.tif 000005
【図４】
2018008793.tif 000006
【図５】
2018008793.tif 000007
【図６】
2018008793.tif 000008
【図７】
2018008793.tif 000009
【図８】
2018008793.tif 000010